(57)【要約】【課題】圧電式液体流通インジケータとして、液体による圧電素子の汚染がなく、保守点検が不要で、取替えも簡単なものを提供する。【解決手段】上部の胴部と下部に相互に連通する圧電室１２と液圧作用穴１３を有する筒形ケーシング１１の圧電室１２内に、下から上に向かって、液圧に基づいて上下に移動可能なピストン１５、ピストン１５の上動を介して圧縮可能な圧電素子１８及び絶縁ブロック１９を装着するとともに、絶縁ブロック１９上に、ケーシング１１の上端から突出するとともに透明なランプカバー２４で被覆した発光ダイオードランプ２１を支持し、かつ圧電素子１８と発光ダイオードランプ２１を、リード線２２と整流素子（ダイオード）２３を介して接続する。【選択図】図１
0003124849.tif 000002
【実用新案登録請求の範囲】
【請求項１】
液体管内の液体の圧力変化量に対応して変位可能な受圧部材と、該受圧部材に隣接して設置した、受圧部材の変位量に対応して収縮可能な圧電素子と、圧電素子に隣接して設置するとともに圧電素子にその収縮量に対応して点灯可能に接続した発光ランプとからなる、圧電式液体流通インジケータ。
【請求項２】
受圧部材がピストン又はダイヤフラムである、請求項１記載の圧電式液体流通インジケータ。
【請求項３】
発光ランプが発光ダイオードランプである、請求項１又は２記載の圧電式液体流通インジケータ。
【考案の詳細な説明】
【技術分野】
【０００１】
この考案は、例えばオイルポンプを介して産業用エンジンに間欠的に供給する潤滑用オイルのように、液体管内を脈動的に流れる液体の流通状態を監視するために液体管に付設する圧電式液体流通インジケータに関する。
【背景技術】
【０００２】
この種の液体流通インジケータとしては、液体管内に圧電素子を液体に直接接触する状態で配置するとともに、液体管から離れた位置に、圧電素子に比較回路等を介して接続した警告器を配置したものが知られている（例えば、特許文献１参照）。
【０００３】
この公知の液体流通インジケータは、流体の圧力変化量に対応する圧電素子の撓み量に基づいて発生する圧電効果による電圧を基準電圧と比較して、警告器類を動作、不作動とするもので、その有用性は確認されているが、主要部材である圧電素子が直接液体の流れに曝されることによる汚染などの点から、保守点検や取替えが欠かせないほか、電気的な配線の点から取り替えにも手間がかかるなどの問題がある。
【特許文献１】特開平１−１９７６２３号公報
【考案の開示】
【考案が解決しようとする課題】
【０００４】
この考案は、公知のものに認められる上記のような問題に鑑み、特に液体による圧電素子の汚染がなく、保守点検が不要で、取替えも簡単な圧電式液体流通インジケータを提供することを課題としている。
【課題を解決するための手段】
【０００５】
この考案によれば、上記の課題は、実用新案登録請求の範囲の請求項１に記載のように、液体管内の液体の圧力変化量に対応して変位（往動）可能な受圧部材と、該受圧部材に隣接して設置した、受圧部材の変位量に対応して収縮可能な圧電素子と、圧電素子に隣接して設置するとともに圧電素子にその収縮量に対応して点灯可能に接続した発光ランプとからなる、圧電式液体流通インジケータによって解決する。
【０００６】
この考案に係る圧電式液体流通インジケータにおいては、請求項２に記載のごとく、受圧部材は、ピストン又はダイヤフラム（薄板）で構成することが好ましい。
【０００７】
またこの考案の液体流通インジケータにおいては、請求項３に記載のごとく、発光ランプは、発光ダイオードランプで構成することが望ましい。
【考案の効果】
【０００８】
請求項１に記載のこの考案に係る圧電式液体流通インジケータは、液体管内を脈動的に流れる液体の圧力変化量に対応する受圧部材の変位量に従って、圧電素子を圧縮して、この圧縮量に対応して発生する電圧値に従って発光ランプを点灯又は消灯させて、液体管内の液体の流通を確認可能にするもので、この流通インジケータによれば、圧電素子が液体によって汚染される恐れがないとともに、単に圧電素子を発光ランプに接続しただけの電源不要の構成であるため、保守点検、取替えを簡単に行うことができる。
【０００９】
また請求項２に記載の液体流通インジケータにおけるピストン又はダイヤフラムによる受圧によれば、受圧が的確に行われるとともに、構造がコンパクトで、コストも安価である。
【００１０】
さらに請求項３に記載の発光ダイオードランプ構成によれば、構造がコンパクトで、安価に提供することができる。
【考案を実施するための最良の形態】
【００１１】
図１は、この考案に係る液体流通インジケータの第１の実施形態の構成概要を示したもので、この実施形態では、上部の胴部と下部に相互に連通する圧電室（液圧・電圧変換室）１２と液圧作用（液体）穴１３を有する段付き筒形のケーシング１１の圧電室１２内に、順次下から上に向かって、上下に移動可能な受圧部材としてのＯリング１７付きブロック状ピストン１５と、ブロック形の圧電素子１８と、上端部がケーシング１１の上端から若干量突出するプラスチック製の絶縁ブロック１９及びケーシング１１の上端部の内周部に形成する雌ねじ部（図示せず）に係合する雄ねじ部（図示せず）を有するとともに絶縁ブロック１９の上端面の外周部に押え係合するリング状のブロック押え２０を隣接状態で装着するとともに、絶縁ブロック１９の中央部上にブロック押え２０のリング穴部を通してケーシング１１上に突出する発光ダイオードランプ２１を支持し、さらに圧電素子１８と発光ダイオードランプ２１を、リード線２２及び絶縁ブロック１９内に設置した整流素子（ダイオード）２３を介して接続するとともに絶縁ブロック１９の中央部上に、ブロック押え２０のリング穴部を通して上方にのびて発光ダイオードランプ２１を被覆する透明なランプカバー２４を設置した構造からなっている。
【００１２】
この実施形態は、例えばケーシング１１の下端部を取り付ける液体管接続管２５を介して液体管に間接的に付設することができるもので、液体が所定量液体管内、従って液体管接続管２５内を脈動的に流れる際には、規定値以上の圧力変動が生じ、この変動圧力がケーシング１１の下部の液圧作用穴１３を通してピストン１５の下端面に作用するため、ピストン１５が規定量以上上昇して、圧電素子１８を規定量以上圧縮し、これに伴って圧電素子１８に発生する規定値を越える電荷、従って電圧によって、発光ダイオードランプ２１が所定時間点灯し、液体の脈動流の存在が確認される。
【００１３】
他方液体管内、従って液体管接続管２５内における液体の圧力変動が規定値未満のような低値の場合には、ピストン１５の上昇量が規定値未満に留まり、この結果圧電素子１８の圧縮量も規定値に達しないため、発光ダイオードランプ２１は点灯せず、実質上液体の脈動流がないことが確認される。
【００１４】
図２は、この考案に係る液体流通インジケータの第２の実施形態の構成概要を示したもので、第１の実施形態における部材と同等の部材は同一の番号で示してある。この実施形態は、第１の実施形態とは、実質上は、ケーシング１１の胴部の圧電室１２内に装着する受圧部材を、Ｏリング１７付きの金属ディスク製ダイヤフラム１６で構成するとともに、その上の圧電素子１８としてディスク状のものを用いた点で異なっているだけで、同等の作用を奏する。
【００１５】
この考案に係る液体流通インジケータは、このほか種々の形態で実施することができるもので、上記の形態に限定されるものではない。
【図面の簡単な説明】
【００１６】
【図１】この考案に係る液体流通インジケータの第１の実施形態の構成概要を示す略断面図である。
【図２】この考案に係る液体流通インジケータの第２の実施形態の構成概要を示す略断面図である。
【符号の説明】
【００１７】
１１  ケーシング
１２  圧電室
１３  液圧作用穴
１５  ピストン
１６  ダイヤフラム
１７  Ｏリング
１８  圧電素子
１９  絶縁ブロック
２０  ブロック押え
２１  発光ダイオードランプ
２２  リード線
２３  整流素子（ダイオード）
２４  ランプカバー
２５  液体管接続管
【図１】
0003124849.tif 000003
【図２】
0003124849.tif 000004